(57)【要約】【課題】トラッキング火災や感電、漏電事故を防止、補助するための電気プラグ安全キャップを提供する。【解決手段】基部と、該基部に設けられ、該基部から垂直方向に突出する突起部と、該突起部に設けられ、前記基部を貫通して電気プラグの差込用端子を挿入できるように構成された孔部と、前記基部と同一平面上で一方向に延びる延長部と、前記基部と前記延長部の間に設けられた溝部から構成される電気プラグ安全キャップにおいて、前記電気プラグ安全キャップが絶縁性の高い高性能樹脂からなり、前記基部と前記延長部が前記溝部によって切り離し可能に構成されたことを特徴とする。【選択図】図１
2016212963.tif 000002
【特許請求の範囲】
【請求項１】
基部と、該基部に設けられ、該基部から垂直方向に突出する突起部と、該突起部に設けられ、前記基部を貫通して電気プラグの差込用端子を挿入できるように構成された孔部と、前記基部と同一平面上で一方向に延びる延長部と、前記基部と前記延長部の間に設けられた溝部から構成される電気プラグ安全キャップであって、該電気プラグ安全キャップが絶縁性の高い高性能樹脂からなり、前記基部と前記延長部が前記溝部によって切り離し可能に構成されたことを特徴とする、電気プラグ安全キャップ。
【請求項２】
前記絶縁性樹脂が高性能絶縁性樹脂であることを特徴とする、請求項１に記載の電気プラグ安全キャップ。
【請求項３】
前記基部及び前記延長部の各角部が丸められていることを特徴とする、請求項１または２に記載の電気プラグ安全キャップ。
【請求項４】
前記基部及び前記延長部の角部がＲ３±１で丸められていることを特徴とする、請求項１から３のいずれか１項に記載の電気プラグ安全キャップ。
【請求項５】
前記突起部の基部からの突出長さが５ｍｍ〜７ｍｍであることを特徴とする、請求項１から４のいずれか１項に記載の電気プラグ安全キャップ。
【請求項６】
前記基部及び前記延長部の板厚が０．４±０．２ｍｍであることを特徴とする、請求項１から５のいずれか１項に記載の電気プラグ安全キャップ。
【請求項７】
前記突起部の板厚が先端部で０．１５〜０．２ｍｍ、基部で０．３〜０．４ｍｍであり、前記板厚が前記基部から前記先端部に向かって薄くなっているこいとで、前記突起部がコンセントに入り易いようにされていることを特徴とする、請求項１から６のいずれか１項に記載の電気プラグ安全キャップ。
【発明の詳細な説明】
【技術分野】
【０００１】
本発明は、電気プラグ安全キャップに関し、特に、市販の電気プラグに取り付けてトラッキング、感電、漏電事故を防止、補助する、電気プラグ安全キャップに関する。
【背景技術】
【０００２】
従来、電気コンセントと電気プラグの間に埃が溜まり、ここに湿気が付着することによって生じるトラッキング現象が問題となっている。また、電気プラグの電気コンセントへの差し込みが不十分で電気プラグの導電部分が露出していることによる感電、漏電事故も問題となっている。このような、トラッキング現象や感電、漏電事故を防止するための方策が必要とされている。
【０００３】
しかしながら、従来技術による電気プラグ用カバーは、延長コードに付けられた電気プラグと電気コンセント、延長コードの電気コンセント等には取り付けることができず、壁面に取り付けられた電気コンセントでも２口以上の場合には、カバー同士が重なり合って本来の機能を果たせない他、感電、漏電防止機能もなく、電気コンセントへの埃の侵入や子供のいたずら防止などの機能もないなどの様々な問題があった。
【発明の概要】
【発明が解決しようとする課題】
【０００４】
本発明の目的は、今日において多発するコンセント火災を防止し、各種メディアを通じた注意喚起情報や経済産業省の電気プラグのトラッキング対策適用範囲拡大などの法令等でも、その危険性が認知されるようになってきた、トラッキング火災や感電、漏電事故を防止、補助するための電気プラグ安全キャップを提供することである。
【０００５】
また、本発明の目的は、電気プラグ安全キャップの取付け状態、コンセントとプラグの異常を確認することができるようにした、電気プラグ安全キャップを提供することである。
【０００６】
更に、本発明の目的は、使用する製品名や記号等を記載することができ、不要の場合は取り外すことができる、電気プラグ安全キャップを提供することである。
【課題を解決するための手段】
【０００７】
本発明による電気プラグ安全キャップは、基部と、該基部に設けられ、該基部から垂直方向に突出する突起部と、該突起部に設けられ、前記基部を貫通して電気プラグの差込用端子を挿入できるように構成された孔部と、前記基部と同一平面上で一方向に延びる延長部と、前記基部と前記延長部の間に設けられた溝部とから構成されており、前記電気プラグ安全キャップが絶縁性の高い高性能樹脂（エンジニアリングプラスチック）からなり、前記基部と前記延長部が前記溝部によって切り離し可能に構成されたことを特徴とする。ここで、「高性能樹脂」とは、本発明の電気プラグ安全キャップの突起部が、電気プラグの差込用端子を挿入されて差込用端子と共にコンセントに差し込まれた時に変形しない高性能樹脂（エンジニアリングプラスチック）のことを言う。
【０００８】
本発明の電気プラグ安全キャップにおいて、前記絶縁性樹脂が高性能絶縁性樹脂であることが好ましい。
【０００９】
本発明の電気プラグ安全キャップにおいて、前記基部及び前記延長部の各角部が丸められていることが好ましい。
【００１０】
本発明の電気プラグ安全キャップにおいて、前記基部及び前記延長部の角部がＲ３±１で丸められていることが好ましい。
【００１１】
本発明の電気プラグ安全キャップにおいて、前記突起部の基部からの突出長さが５ｍｍ〜７ｍｍであることが好ましく、特に６ｍｍであることが好ましい。
【００１２】
本発明の電気プラグ安全キャップにおいて、前記基部及び前記延長部の板厚が０．４±０．２ｍｍであることが好ましい。
【００１３】
本発明の電気プラグ安全キャップにおいて、前記突起部の板厚が先端部で０．１５〜０．２ｍｍ、基部で０．３〜０．４ｍｍであることが好ましい。
【図面の簡単な説明】
【００１４】
【図１】本発明の電気プラグ安全キャップの構成を示す斜視図である。
【図２】本発明の電気プラグ安全キャップの平面図である。
【図３】本発明の電気プラグ安全キャップの横断面図である。
【図４】本発明の電気プラグ安全キャップの縦断面図である。
【図５】本発明の電気プラグ安全キャップの使用状況を説明する図である。
【図６】本発明の電気プラグ安全キャップと共に使われる保護キャップを示す図であり、（ａ）は保護キャップの一例を示す図、（ｂ）は保護キャップの他の例を示す図、（ｃ）は（ａ）の保護キャップを本発明の電気プラグ安全キャップと共に電気プラグに装着した状態を示す図である。
【発明を実施するための形態】
【００１５】
以下、図面を参照して本発明の実施の形態について詳細に説明する。図１に示すように、本発明の実施例による電気プラグ安全キャップ１０は、基部１と、突起部２と、孔部３と、溝部４と、延長部５とを備えている。また、電気プラグ安全キャップ１０は、絶縁性の高い高性能樹脂（エンジニアリングプラスチック）、好ましくは、ポリアセタールを用いて射出成形によって成形される。
【００１６】
次に、本発明の実施例による電気プラグ安全キャップ１０の寸法関係について、図２、図３及び図５を参照して説明する。電気プラグ安全キャップ１０の突起部２及び孔部３は、既存の電気プラグの差込用端子を挿入できるような寸法及び配置で構成されている。また、突起部２及び孔部３は、電気プラグ安全キャップ１０が電気プラグの差込用端子に挿入されて使用されるときに、差込用端子と共にコンセントに差し込み可能なように十分に薄く、好ましくは、突起部２の板厚は先端部でｔ１が０．１５〜０．２ｍｍ、基部でｔ２が０．３〜０．４ｍｍとなるように成形されている。また、突起部２の高さｈは、差込用端子と共にコンセントに完全に差し込まれたときに、コンセントの受け部に当たることがなく電気の流れを妨げることのないように設定されている。この高さｈが長すぎると、コンセントの受け部に当たって電気の流れを妨げてしまい、短すぎると、電気プラグが電気コンセントに結合していて結合が外れる直前の位置での、電気プラグのコンセントへの差込が不完全である場合に、突起部２とコンセントの間に隙間ができて、電気プラグの差込用端子が露出して、そこに埃が入り込み、トラッキングの原因となってしまう。このようなことを防止するために、この突起部２の高さｈは、５ｍｍ〜７ｍｍに設定されるのが好ましく、特に６ｍｍにされることが好ましい。
【００１７】
次に、本発明の実施例による電気プラグ安全キャップ１０の溝部４及び延長部５の構成について、図２及び図４を参照して説明する。延長部５は、基部１と同一平面上で図２の上方向に延びており、延長部５と基部１の境界には溝部４が形成され、必要に応じて、この溝部４によって延長部５は基部１から分離可能になっている。また、基部１及び延長部５の板厚は電気プラグの差込用端子への差し込み時の剛性を考慮して０．４±０．２ｍｍとするのが好ましい。更に、この延長部５が基部１から分離されない場合には、電気プラグからはみ出しているために、本発明の電気プラグ安全キャップ１０が使用されていることを認識することができる。また、この延長部５に、例えば、使用している製品名や記号等を記載することも出来、さらにこの部分の変色、変形によってコンセントとプラグの異常が確認できるようにもなされている。
【００１８】
図２に示すように、本発明の実施例による電気プラグ安全キャップ１０の基部１及び延長部５の外側（溝部４を形成しない側）の各角部はＲであり、樹脂成形時のヒケ防止を考慮してＲ３±１とするのが好ましい。また、基部１と延長部５の間に溝部４が形成されているので、この溝部４が射出成型時の放熱にも寄与し、成形時の不良の発生を少なからず防ぐことができる。この溝部４を形成する基部１と延長部５の角部Ｒ１も同様に、図１及び図２に示すように丸められている。これは、延長部５を基部１から分離するために、溝部４で切断した時に、尖った角でけがをすることを防止するためである。このＲ１も上記Ｒと同様に、樹脂のヒケ防止を考慮してＲ３±１に設定される。
【００１９】
上記実施例においては、図５に示す、本発明の電気プラグ安全キャップ１０が電気プラグの差込用端子に取り付けられる場合を想定して説明したが、本発明の電気プラグ安全キャップ１０は電気コンセントに取り付けて、埃の侵入、漏電、感電事故の防止にも寄与する。
この場合においても、突起部２の高さｈが、コンセントの受け部に当たることがないように、適切な長さに設定されているため、電気プラグを差し込んだ時に、電気の流れを妨げることなく、支障なく使用することができ、且つ、埃の入り込みを防いで、トラッキングを防止することができるのである。また、前述したように、突起部２の基部から先端部に向かって薄くなっているので、本発明の安全キャップ１０の突起部２をコンセントの孔に挿入する際に入りやすい構造となっている。
【００２０】
本発明の実施例を、家庭で通常使われる単相１００Ｖ用二又コンセントに用いる場合について説明したが、本発明の電気プラグ安全キャップは、その他の２００Ｖ用三又コンセントなどの異形コンセントにも適用することができる。
【００２１】
次に、本発明の電気プラグ安全キャップ１０と共に用いられる、保護キャップ２０について図６を用いて説明する。
保護キャップ２０は、本発明の電気プラグ安全キャップ１０を電気製品の電気プラグに装着した状態で、被覆されない電気プラグの先端部に装着して用いられる。このように、電気プラグの先端部に保護キャップ２０を装着すると、電気プラグを保護して、電気製品の販売・出荷時に電気プラグの損傷、サビなどを防止することができる。また、家庭等での電気製品等の不使用時にも同様に保護キャップ２０を装着することによって、電気プラグを踏んだりした時に、電気プラグを保護することができ、また電気プラグの金属部による怪我を防止することができる。
【符号の説明】
【００２２】
１        基部
２        突起部
３        孔部
４        溝部
５        延長部
１０      電気プラグ安全キャップ
２０      保護キャップ
ｔ１      突起部の先端部板厚
ｔ２      突起部の基部板厚
ｈ        突起部の高さ
Ｒ、Ｒ１  基部及び延長部の角部
【図１】
2016212963.tif 000003
【図２】
2016212963.tif 000004
【図３】
2016212963.tif 000005
【図４】
2016212963.tif 000006
【図５】
2016212963.tif 000007
【図６】
2016212963.tif 000008